(57)【特許請求の範囲】
【請求項１】
ユーザが、分電盤に配置される内部機器の負荷名称入力操作を行なう負荷名称入力手段と、
負荷名称の入力に伴う演算処理を行なう負荷名称演算手段と、
負荷名称演算手段の演算処理結果を記憶する負荷名称記憶手段と、
負荷名称演算手段の演算処理結果をユーザに表示する負荷名称出力手段を有し、
前記負荷名称演算手段は、内部機器の回路数を規定する回路規定手段と、
負荷名称入力手段からこの回路規定手段に入力された内部機器の回路数に応じて、負荷名称を入力する画面である負荷名称入力部と、負荷名称ラベルの印刷内容を表示する画面である配置出力部とを同一画面上に並べて表示させる負荷名称展開手段と、
負荷名称入力手段からこの負荷名称入力部に入力された負荷名称を前記負荷名称記憶手段に収納させるとともに、収納した負荷名称データを前記配置出力部に連動して表示させる連動表示手段を有することを特徴とする負荷名称入力システム。
【請求項２】
前記負荷名称展開手段は、内部機器の配置方向を規定する配置規定手段を備え、負荷名称入力部からの入力内容に応じて配置出力部に表示させることを特徴とする請求項１記載の負荷名称入力システム。
【請求項３】
前記負荷名称展開手段は、負荷名称の回路番号、回路番号を装飾する回路記号、負荷名称ラベルの文字色または背景色、文字の配置場所の何れかを規定する拡張規定手段を有し、その入力内容に応じて配置出力部に表示させることを特徴とする請求項１または２記載の負荷名称入力システム。
【請求項４】
前記負荷名称演算手段は、負荷名称入力部と配置出力部とを同一画面に表示させるモードと、負荷名称ラベル画面を表示して直接入力操作を可能とする負荷名称ラベル入力部を表示させるモードとを切替える表示切替手段を有することを特徴とする請求項１記載の負荷名称入力システム。
【発明の詳細な説明】
【技術分野】
【０００１】
本発明は、分電盤の内部機器に対応する負荷名称ラベルを作成するために用いられる負荷名称入力システムに関するものである。
【背景技術】
【０００２】
分電盤は筐体の内部に主幹ブレーカ、分岐ブレーカなどの様々な内部機器を配置して構成されるものであり、接続される負荷の数や種類及びその容量等に応じて、筐体のサイズや内部機器の配置は大きく異なる。メーカは多数の標準品を用意しており、ユーザからの希望仕様に応じて専門技術者が最適な分電盤を選定していた。しかし近年、ユーザの端末とメーカのサーバとを通信回線で結び、ユーザが画面上で希望する分電盤の選定やオプション機器の追加を行なうことができる分電盤選定システムが普及しつつある。
【０００３】
その一例が特許文献１に記載されている。このシステムにおいては、ユーザが入力手段からの操作を行なうことによって、サーバのデータベースに記憶された標準品情報中からユーザの希望に一致または類似する分電盤を読み出し、その標準品情報をユーザの画面に盤内イメージ画像として表示することができる。また表示された盤内イメージ画像をユーザが操作して内部機器を変更することができるようになっている。
【０００４】
特許文献２に示すように、分電盤には内部機器に対応する負荷名称ラベルが取付けられている。これは内部機器の用途、機種、接続される負荷名称等を表示するものであり、分電盤選定システムでは内部機器の選定作業とともに、内部機器の用途・機種等を表示させる負荷名称を入力して負荷名称ラベルを作成し、分電盤の負荷名称ホルダに表示できるようになっている。
【０００５】
しかし従来の負荷名称入力システムでは、負荷名称の入力画面と印刷状態を確認する画面とが異なるページにあるため、負荷名称を入力するたびに異なるページを開いて印刷状態を確認しており、手数がかかるという問題があった。
【先行技術文献】
【特許文献】
【０００６】
【特許文献１】特許第３７７７８６７号公報
【特許文献２】特許第５５５７３３１号公報
【発明の概要】
【発明が解決しようとする課題】
【０００７】
従って本発明の目的は上記した従来の問題点を解決し、余分な手数を要することなく、負荷名称ラベルの入力及び作成を行なうことができる負荷名称入力システムを提供することである。
【課題を解決するための手段】
【０００８】
上記の課題を解決するためになされた本発明の負荷名称入力システムは、ユーザが、分電盤に配置される内部機器の負荷名称入力操作を行なう負荷名称入力手段と、負荷名称の入力に伴う演算処理を行なう負荷名称演算手段と、負荷名称演算手段の演算処理結果を記憶する負荷名称記憶手段と、負荷名称演算手段の演算処理結果をユーザに表示する負荷名称出力手段を有し、前記負荷名称演算手段は、内部機器の回路数を規定する回路規定手段と、負荷名称入力手段からこの回路規定手段に入力された内部機器の回路数に応じて、負荷名称を入力する画面である負荷名称入力部と、負荷名称ラベルの印刷内容を表示する画面である配置出力部とを同一画面上に並べて表示させる負荷名称展開手段と、負荷名称入力手段からこの負荷名称入力部に入力された負荷名称を前記負荷名称記憶手段に収納させるとともに、収納した負荷名称データを前記配置出力部に連動して表示させる連動表示手段を有することを特徴とするものである。
【０００９】
請求項２の発明は請求項１の発明において、前記負荷名称展開手段は、内部機器の配置方向を規定する配置規定手段を備え、負荷名称入力部からの入力内容に応じて配置出力部を表示させることを特徴とするものである。
【００１０】
請求項３の発明は請求項１または２の発明において、前記負荷名称展開手段は、負荷名称の回路番号、回路番号を装飾する回路記号、負荷名称ラベルの文字色または背景色、文字の配置場所の何れかを規定する拡張規定手段を有し、その入力内容に応じて配置出力部を表示させることを特徴とするものである。
【００１１】
請求項４の発明は請求項１の発明において、前記負荷名称演算部は、負荷名称入力部と配置出力部とを同一画面に表示させるモードと、負荷名称ラベル画面を表示して直接入力操作を可能とする負荷名称ラベル入力部を表示させるモードとを切替える表示切替手段を有することを特徴とするものである。
【発明の効果】
【００１２】
請求項１の発明によれば、負荷名称入力画面と配置出力画面とを同一画面に並べて表示させるため、何度もページを切替えて実際に印刷される配置出力を確認する必要がなく、負荷名称ラベルの入力及び作成の手数を軽減することができる。
【００１３】
請求項２の発明によれば、分電盤の回路数のみならず配置位置も設定可能であり、その配置位置によって配置出力部の表示を変更することができる。
【００１４】
請求項３の発明によれば、負荷名称の回路番号、回路記号、負荷名称ラベルの文字色または背景色、文字の配置場所なども入力したり変更したりすることができ、その結果に応じて配置出力部の表示を変更することができる。
【００１５】
請求項４の発明によれば、ユーザ端末への出力モードを変更することにより、ユーザの望む負荷名称ラベルの設計を容易に行うことができる。
【図面の簡単な説明】
【００１６】
【図１】本発明の負荷名称入力システムの全体構成を示すブロック図である。
【図２】入力画面を示す図である。
【図３】負荷名称入力部に「コンセント」の負荷名称を入力する手順を示す図である。
【図４】負荷名称入力部に「コンセント」の負荷名称を入力する手順を示す図である。
【図５】負荷名称入力部に「コンセント」の負荷名称を入力規定手段により入力する手順を示す図である。
【図６】回路規定手段により配置出力部の表示の変更を示す図である。
【図７】入力モードを切り替えた画面を示す入力画面を示す図である。
【図８】入力モードを切り替えた画面を示す入力画面を示す図である。
【図９】入力モードを切り替えた画面を示す入力画面を示す図である。
【図１０】テンプレート管理方式の入力画面を示す図である。
【図１１】本発明の負荷名称入力システムの動作フローを示すフローチャートである。
【発明を実施するための形態】
【００１７】
図１に示すように、本発明の負荷名称入力システムは、ユーザ側端末１とサーバ２とから構成される。これらは通信回線を介して、あるいは直接接続されている。ユーザ側端末１は複数台とすることもできる。通常、サーバ２はメーカ側に設置されるが、その設置場所は任意であることはいうまでもない。
【００１８】
ユーザ側端末１は、分電盤に配置される内部機器の負荷名称の入力操作を行なう負荷名称入力手段３と、入力された負荷名称や演算処理された負荷名称が出力される負荷名称出力手段４を備えている。
【００１９】
サーバ２は、負荷名称の入力に伴う演算処理を行なう負荷名称演算手段５を備えている。またサーバ２は、負荷名称演算手段５の演算処理結果を記憶する負荷名称記憶手段６を備えている。負荷名称演算手段５の演算処理結果は負荷名称出力手段４によってユーザ側端末１に表示される。
【００２０】
負荷名称演算手段５は、回路規定手段７と、負荷名称展開手段８と、連動表示手段９とを備えている。回路規定手段７は分電盤の内部機器の回路数を規定する。分電盤の回路数に応じて必要な負荷名称ラベルの数も変化するので、負荷名称入力手段３から入力された回路数に応じて、負荷名称展開手段８が図２に示すように、負荷名称入力部１０と配置出力部１１とを同一画面に表示させる。
【００２１】
配置出力部１１は負荷名称ラベルの印刷内容を表示する画面であり、実際印刷される用紙を表示させておいても良いし、配置のみを表示させる表示画面を出力手段に出力させ、実際印刷される用紙を別画面で表示させて確認できるようにしても良い。図２に示すようにユーザ側端末１の同一画面上に負荷名称入力部１０と配置出力部１１とを並べて表示することができるので、従来のようにページを切替えて実際に印刷される配置出力を確認する必要がない。
【００２２】
負荷名称演算手段５は、回路規定手段７のほかに配置規定手段１２と拡張規定手段１３とを備えている。配置規定手段１２は、内部機器が母線バーを挟んで両側に取付けられるのかあるいは片側に取付けられるのか、また母線バーの上下に配置されるのか左右に配置されるのかなどの基本的な配置を入力する。配置規定手段１２の選択に伴って、図６に示すように、配置出力部１１の表示も変更されるものである。さらに、拡張規定手段１３は、負荷名称ラベルに印刷される回路番号、回路記号、色（文字色、背景色）、文字の段落位置（右寄り・中央・左寄り）などの拡張情報を入力する。前記した連動表示手段９は、配置規定手段１２と拡張規定手段１３への入力内容によって、配置出力部１１の表示を連動して変更する。
【００２３】
負荷名称展開手段８により展開された画面には、図２に示されるように、記号、番号、色、段落等の拡張機能を規定する拡張機能入力部１４と、負荷名称を入力する基本入力部１５が表示されている。負荷名称入力部１０及び配置出力部１１の入力表や配置図のパターンは、図１に示されるサーバ２のデータベース１５に予め登録しておき、回路規定手段７、配置規定手段１２、拡張規定手段１３の条件が一致するパターンを呼び出して出力するようにしてもよく、選択された条件に基づいてその都度作成するようにしてもよい。
【００２４】
ここで、負荷名称入力部１０の入力方法は、図５のように、挿入したい番号等を指定して語句をプルダウンから選択し（挿入）ボタンを押して入力部に入力していく入力規定手段１６を用いる方法や、負荷名称入力部１０（基本入力部１５）に入力したい箇所を選択し直接入力する方法どちらであっても良い。拡張機能入力部１４の入力方法も同様に、拡張規定手段１３を用いる方法、指定位置に直接入力する方法どちらであっても良い。図３、図４、図５に回路番号３の負荷名称「コンセント」を入力する手順を示した。
【００２５】
このように、負荷名称入力部１０の基本入力部１５に機器・用途等の負荷名称が何れかの方法で入力されたとき、前記した負荷名称演算手段５の連動表示手段９が、入力された内容と連動して配置出力部１１にも負荷名称を反映・表示させる。詳しくは、連動表示手段９により、負荷名称入力部１０への入力内容を負荷名称記憶手段６に収納させるとともに、負荷名称記憶手段６に収納した内容を配置出力部１１に表示させるものである。負荷名称入力部１０の入力内容を変更した場合でも同様に、連動表示手段９により、配置出力部１１の表示も変更される。本実施形態のシステムでは、随時連動表示させるようにしているが、一括で連動表示させるようにしてもよい。
【００２６】
ユーザは出力された配置出力部１１の内容を確認した後、入力した負荷名称ラベルを印刷、又は、サーバ２上の負荷名称記憶手段６に負荷名称データを収納する。このように、１つの画面上で印刷の判断処理を行うことが可能であり、何度もページを移動させるなどの作業をする必要がなくなる。
【００２７】
負荷名称入力部１０に入力された負荷名称データは、図２に示された基本入力部１５の基本入力データ３０と、拡張機能入力部１４の拡張機能データ３１とに分離した状態で、図１のように、負荷名称記憶手段６に収納される。収納された負荷名称データは、負荷名称呼出手段５０により基本入力データ３０及び拡張機能データ３１として呼び出して展開させることが可能である。この場合、基本入力データ３０と拡張機能データ３１を関連付けさせた上で呼び出し、負荷名称出力手段４に展開・表示させることが可能である。
【００２８】
また負荷名称データを基本入力データ３０と拡張機能データ３１に分離させておくことにより、拡張機能データ３１を必要としない他システムで、基本入力データ３０のみを利用させることも可能である。例えば、分電盤選定システムのような負荷名称の名称だけを使用するシステムにおいては、負荷名称入力システムで作成した負荷名称データのうち、基本入力データ３０のみ呼び出して展開できるようにすることができる。
【００２９】
上記したように、本発明のシステムは負荷名称入力部１０と配置出力部１１を併設するモードを使用するものであるが、負荷名称演算部５の表示切替手段２０により、負荷名称入力部１０と配置出力部１１とを同一画面に表示させるモードと、負荷名称ラベル画面を表示して直接入力操作を可能とする負荷名称ラベル入力部２１を表示させるモードとを切替え可能としておくこともできる。図７、図８、図９にこのモードを示す。このように実際印刷される用紙を画面に表示し指定した位置を選択しながら入力可能な負荷名称ラベル入力部１２を表示させ、入力したい場所を直接選択して入力するモードに選択的に切替え可能としておけば、ユーザが負荷名称入力方法を自在に選択することができる。この直接入力モードにおいても、負荷名称データは基本入力データ３０と拡張機能データ３１とを分離させて負荷名称記憶手段６に収納され、何れの表示モードでも対応できるように収納される。
【００３０】
なお、図１０に示すように、負荷名称入力部１０に語句を入力する際、よく使用する語句を予め記憶手段のテンプレート管理手段６０に登録しておき、入力規定手段１６により基本入力部１５に入力を行う際はボタン１つで挿入またはプルダウンを表示して選択できるテンプレート管理を行うこともできる。使用される語句を規則なく収納しておくことや、また種類（用途）ごとに各語句を収納しておくことも可能である。
【００３１】
以上に説明した本発明の負荷名称入力システムの動作フローを図１１に示した。ＳＴ１でユーザがユーザ側端末１から回路数や配置などを入力すると、ＳＴ２でサーバ２が負荷名称入力部１０を展開し、さらに配置出力部１１を同一画面に展開する。ＳＴ４でユーザは負荷名称の入力を行い、必要に応じてＳＴ５で拡張機能の入力を行う。入力内容はＳＴ６で負荷名称記憶手段６に収納され、またＳＴ７で配置出力部１１に連動表示される。その後、ＳＴ８で負荷名称ラベルの保存及び印刷が行なわれる。
【００３２】
以上に説明したとおり、本発明の負荷名称入力システムによれば、分電盤の負荷名称ラベルの入力及び作成を容易にきわめて容易に行なうことができる。
【符号の説明】
【００３３】
１  ユーザ側端末
２  サーバ
３  負荷名称入力手段
４  負荷名称出力手段
５  負荷名称演算手段
６  負荷名称記憶手段
７  回路規定手段
８  負荷名称展開手段
９  連動表示手段
１０  負荷名称入力部
１１  配置出力部
１２  配置規定手段
１３  拡張規定手段
１４  拡張機能入力部
１５  基本入力部
１６  基本規定手段
２０  表示切替手段
２１  負荷名称ラベル入力部
３０  基本入力データ
３１  拡張機能データ
５０  負荷名称呼出手段
６０  テンプレート管理手段
【図１】
0006562640.tif 000002
【図２】
0006562640.tif 000003
【図３】
0006562640.tif 000004
【図４】
0006562640.tif 000005
【図５】
0006562640.tif 000006
【図６】
0006562640.tif 000007
【図７】
0006562640.tif 000008
【図８】
0006562640.tif 000009
【図９】
0006562640.tif 000010
【図１０】
0006562640.tif 000011
【図１１】
0006562640.tif 000012